【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
経路の案内において経路の周辺の地点の情報を提供する情報提供装置であって、
目的地に至る経路に関する第１種の情報と、共通の享受物を享受できる複数の地点を含む領域であって、前記経路の近傍の所定の範囲と重複する領域である近傍領域に関する第２種の情報と、を含む経路データを準備する経路データ準備部と、
前記経路データに基づいて、前記経路に関する案内を行う経路案内部と、を含み、
前記経路案内部は、
前記第１種の情報に基づいて、前記経路の案内を行う案内実行部と、
前記第２種の情報に基づいて、前記享受物に関する前記近傍領域の紹介を行って、前記享受物を享受できる前記地点に関する情報検索を促す領域紹介部と、
前記情報検索を行う旨の指示を受け取った場合に、前記第２種の情報に基づいて、前記情報検索のための検索条件の少なくとも一部を決定する条件決定部と、
前記検索条件を使用して前記情報検索を行う情報検索部と、を含む、情報提供装置。
【請求項２】
請求項１記載の情報提供装置であって、
前記第２種の情報は、前記近傍領域に関する位置の情報と前記享受物に関する情報とを含み、
前記情報検索部は、前記享受物を享受できる前記地点の位置に関する情報と、前記享受物の分類に関する情報とを対応づけて格納している地点データベースを参照し、前記検索条件として、位置に関する第１の検索条件と、前記享受物の分類に関する第２の検索条件と、を使用して前記情報検索を行い、
前記条件決定部は、
前記第２種の情報に含まれる前記近傍領域に関する前記位置の情報に基づいて、前記第１の検索条件の少なくとも一部を決定し、
前記第２種の情報に含まれる前記享受物に関する前記情報に基づいて、前記第２の検索条件の少なくとも一部を決定する、情報提供装置。
【請求項３】
請求項１記載の情報提供装置であって、
前記第２種の情報は、前記近傍領域に関する位置の情報と前記享受物に関する情報とを含み、
前記情報検索部は、前記享受物を享受できる前記地点の位置に関する情報と、前記享受物に関する情報とを対応づけて格納している地点データベースを参照し、前記検索条件として、位置に関する検索条件と、前記享受物に関するキーワードと、を使用して前記情報検索を行い、
前記条件決定部は、
前記第２種の情報に含まれる前記近傍領域に関する前記位置の情報に基づいて、前記位置に関する検索条件の少なくとも一部を決定し、
前記第２種の情報に含まれる前記享受物に関する前記情報に基づいて、前記キーワードの少なくとも一部を決定する、情報提供装置。
【請求項４】
請求項１ないし３のいずれかに記載の情報提供装置であって、
前記経路案内部は、現在位置の移動に応じて前記経路に関する案内を行い、
前記領域紹介部は、前記近傍領域内または前記近傍領域の近傍の所定の範囲内に現在位置があるときに、前記紹介を行って前記情報検索を促す、情報提供装置。
【請求項５】
請求項１ないし３のいずれかに記載の情報提供装置であって、
前記経路案内部は、指定された位置に応じて前記経路に関する案内を行い、
前記領域紹介部は、前記近傍領域内または前記近傍領域の近傍の所定の範囲内の地点を指定されたときに、前記紹介を行って前記情報検索を促す、情報提供装置。
【請求項６】
経路の案内において経路の周辺の地点の情報を提供する情報提供装置で使用される情報提供方法であって、
（a）目的地に至る経路に関する第１種の情報と、共通の享受物を享受できる複数の地点を含む領域であって、前記経路の近傍の所定の範囲と重複する領域である近傍領域に関する第２種の情報と、を含む経路データを準備する工程と、
（b）前記経路データに基づいて、前記情報提供装置が、前記経路に関する案内を行う工程と、を含み、
前記工程（b）は、
（b1）前記情報提供装置が、前記第１種の情報に基づいて、前記経路の案内を行う工程と、
（b2）前記情報提供装置が、前記第２種の情報に基づいて、前記享受物に関する前記近傍領域の紹介を行って、前記享受物を享受できる前記地点に関する情報検索を促す工程と、
（b3）前記情報検索を行う旨の指示を受け取った場合に、前記情報提供装置が、前記第２種の情報に基づいて、前記情報検索のための検索条件の少なくとも一部を決定する工程と、
（b4）前記情報提供装置が、前記検索条件を使用して前記情報検索を行う工程と、を含む、情報提供方法。
【請求項７】
請求項６記載の情報提供方法であって、
前記第２種の情報は、前記近傍領域に関する位置の情報と前記享受物に関する情報とを含み、
前記工程（b4）は、
前記享受物を享受できる前記地点の位置に関する情報と、前記享受物の分類に関する情報とを対応づけて格納している地点データベースを参照し、前記検索条件として、位置に関する第１の検索条件と、前記享受物の分類に関する第２の検索条件と、を使用して前記情報検索を行う工程を含み、
前記工程（b3）は、
前記第２種の情報に含まれる前記近傍領域に関する前記位置の情報に基づいて、前記第１の検索条件の少なくとも一部を決定する工程と、
前記第２種の情報に含まれる前記享受物に関する前記情報に基づいて、前記第２の検索条件の少なくとも一部を決定する工程と、を含む、情報提供方法。
【請求項８】
請求項６記載の情報提供方法であって、
前記第２種の情報は、前記近傍領域に関する位置の情報と前記享受物に関する情報とを含み、
前記工程（b4）は、
前記享受物を享受できる前記地点の位置に関する情報と、前記享受物に関する情報とを対応づけて格納している地点データベースを参照し、前記検索条件として、位置に関する検索条件と、前記享受物に関するキーワードと、を使用して前記情報検索を行う工程を含み、
前記工程（b3）は、
前記第２種の情報に含まれる前記近傍領域に関する前記位置の情報に基づいて、前記位置に関する検索条件の少なくとも一部を決定する工程と
前記第２種の情報に含まれる前記享受物に関する前記情報に基づいて、キーワードの少なくとも一部を決定する工程と、を含む、情報提供方法。
【請求項９】
請求項６ないし８のいずれかに記載の情報提供方法であって、
前記工程（b）は、現在位置の移動に応じて前記経路に関する案内を行う工程であり、
前記工程（b2）は、前記近傍領域内または前記近傍領域の近傍の所定の範囲内に現在位置があるときに、前記紹介を行って前記情報検索を促す工程である、情報提供方法。
【請求項１０】
請求項６ないし８のいずれかに記載の情報提供方法であって、
前記工程（b）は、指定された位置に応じて前記経路に関する案内を行う工程であり、
前記工程（b2）は、前記近傍領域内または前記近傍領域の近傍の所定の範囲内の地点を指定されたときに、前記紹介を行って前記情報検索を促す工程である、情報提供方法。
【請求項１１】
コンピュータにおいて実行され、経路の案内おいて経路の周辺の地点の情報を前記コンピュータに提供させるためのコンピュータプログラムであって、
目的地に至る経路に関する第１種の情報と、共通の享受物を享受できる複数の地点を含む領域であって、前記経路の近傍の所定の範囲と重複する領域である近傍領域に関する第２種の情報と、を含む経路データを準備する第１の機能と、
前記経路データに基づいて、前記経路に関する案内を行う第２の機能と、を前記コンピュータに実現させるコンピュータプログラムであり、
前記第２の機能は、
前記第１種の情報に基づいて、前記経路の案内を行う第３の機能と、
前記第２種の情報に基づいて、前記享受物に関する前記近傍領域の紹介を行って、前記享受物を享受できる前記地点に関する情報検索を促す第４の機能と、
前記情報検索を行う旨の指示を受け取った場合に、前記第２種の情報に基づいて、前記情報検索のための検索条件の少なくとも一部を決定する第５の機能と、
前記検索条件を使用して前記情報検索を行う第６の機能と、を含む、コンピュータプログラム。 
【手続補正２】
【補正対象書類名】明細書
【補正対象項目名】０００６
【補正方法】変更
【補正の内容】
【０００６】
本願に係る発明の少なくとも一部は、経路案内において、経路の近傍における同種の享受物を享受できる複数の地点の情報を入手する際のユーザの負荷を軽減することを目的とする。
本発明は、様々な態様において、経路の案内において経路の周辺の地点の情報を提供する際に、以下のような処理を行う。